(57)【要約】      （修正有）【課題】取り出しが便利で、残された未使用の油吸収紙を汚すことがなく、且つ、平らな油吸収紙を提供できる油吸収紙ボックスを提供する。【解決手段】油吸収紙を収容し且つ抜き出すための油吸収紙ボックス１０は、ボックス本体１２及びフィルム１４を備え、ボックス本体は複数の側板１２１と、複数の側板の間に形成され、油吸収紙を収容する収容空間とを有し、ボックス本体の少なくとも一枚の側板に開口部１２２が形成され、フィルムは開口部を覆い、且つ油吸収紙が通過するためのスリット１４１が形成され、開口部の長さＤ２とスリットの長さＤ３はそれぞれ油吸収紙の幅より大きい。【選択図】図３
0003231136.tif 000002
【実用新案登録請求の範囲】
【請求項１】
少なくとも一枚の油吸収紙を収容し且つ抜き出すための油吸収紙ボックスであって、
複数の側板、及び前記複数の側板の間に形成され、前記少なくとも一枚の油吸収紙を収容する収容空間を有し、且つ前記複数の側板のうちの少なくとも一枚の側板に開口部が形成されるボックス本体と、
前記開口部を覆い、且つ前記少なくとも一枚の油吸収紙が通過するためのスリットが形成されるフィルムと、を備え、
前記開口部の長さと前記スリットの長さはそれぞれ前記少なくとも一枚の油吸収紙の幅より大きいことを特徴とする油吸収紙ボックス。
【請求項２】
前記開口部の長さ又は前記スリットの長さと前記少なくとも一枚の油吸収紙の幅との差値は、それぞれ０．１ｍｍ以上で２０ｍｍ以下である、請求項１に記載の油吸収紙ボックス。
【請求項３】
前記開口部の長さは、前記スリットの長さ以上である、請求項１に記載の油吸収紙ボックス。
【請求項４】
前記開口部の長さと前記スリットの長さとの差値は、０ｍｍ以上で１０ｍｍ以下である、請求項３に記載の油吸収紙ボックス。
【請求項５】
前記フィルムは、透明フィルム、軟質フィルム、又は透明軟質フィルムである、請求項１に記載の油吸収紙ボックス。
【考案の詳細な説明】
【技術分野】
【０００１】
本考案は油吸収紙ボックスに関し、特に抜き出し式の油吸収紙ボックスに関する。
【背景技術】
【０００２】
油吸収紙は日常生活でよく見かける製品であり、特に台所には、例えば油揚げ物を置くために使われる揚げ物用の油吸収紙、または食器に油汚れが付きにくく見栄えを良くするようにノンオイルフライヤーの底部に置かれる油吸収紙など、特製の油吸収紙がよく用いられる。
【０００３】
市販されている一般の油吸収紙は、通常、数枚折り畳まれて包装袋に入れられるものであり、油吸収紙を使用する場合に、使用者は包装袋を開けて、必要な量の油吸収紙を袋から取り出す必要がある。しかし、使用者は調理中で油吸収紙を使用することが多いため、袋から油吸収紙を取り出す際に、袋に残った未使用の油吸収紙にうっかり触ってしまい、汚れを引き起こす可能性がある。汚れた油吸収紙はそのまま捨てられると考えられ、材料の浪費になってしまう。
【０００４】
また、別の市販の油吸収紙は、ロール状で切取片が設置されている包装ボックスに入れられるものであり、油吸収紙を使用する場合に、使用者は必要な長さの油吸収紙を抜き出して、切取片で切り離すことにより、包装ボックスに残った未使用のロール状油吸収紙に触れることがなく、必要なサイズの油吸収紙を取得することができる。しかし、油吸収紙は通常の紙より厚いため、包装ボックスに設置されている切取片できちんと切り離すのは難しい。なお、油吸収紙は最初ロール状で包装ボックスに収容され、取り出した後は巻き癖が付き、皿などの食器に平らに置かれず、食べ物の盛り付けを妨げることになる。
【０００５】
よって、使用者にとって取り出しが便利で、残された未使用の油吸収紙を汚すことがなく、且つ平らな油吸収紙を提供できる油吸収紙収容用の包装／収容ボックスをいかに提供するかは、現在の重要な課題である。
【考案の概要】
【考案が解決しようとする課題】
【０００６】
本考案は、包装袋で油吸収紙を包装した場合、使用者が袋から油吸収紙を取り出す際に、袋に残った未使用の油吸収紙にうっかり触ってしまい、汚れを引き起こす可能性がある、という従来の技術における問題を解決する。
【０００７】
また、本考案は、包装ボックスでロール状の油吸収紙を包装した場合、使用者が包装ボックスに設置される切取片で油吸収紙をきちんと切り離しにくく、且つ取り出された油吸収紙に巻き癖が付いている、という従来の技術における問題を解決する。
【課題を解決するための手段】
【０００８】
上記課題により、本考案の目的は、使用者にとって取り出しが便利で、残された未使用の油吸収紙を汚すことがなく、且つ平らな油吸収紙を提供できる油吸収紙を収容し且つ抜き出すための油吸収紙ボックスを提供することにある。
【０００９】
上記目的を達成するために、本考案に油吸収紙を収容し且つ抜き出すための油吸収紙ボックスが開示されている。本考案の油吸収紙ボックスは、ボックス本体及びフィルムを備え、ボックス本体は複数の側板と、複数の側板の間に形成され、油吸収紙を収容する収容空間とを有し、ボックス本体の少なくとも一枚の側板に開口部が形成され、フィルムは開口部を覆い、且つ油吸収紙が通過するためのスリットが形成され、開口部の長さとスリットの長さはそれぞれ油吸収紙の幅より大きいことを特徴とする。
【００１０】
好適な実施例において、前記開口部の長さ又は前記スリットの長さと油吸収紙の幅との差値は、それぞれ０．１ｍｍ以上で２０ｍｍ以下である。
【００１１】
好適な実施例において、開口部の長さは、スリットの長さ以上である。
【００１２】
好適な実施例において、開口部の長さとスリットの長さとの差値は、０ｍｍ以上で１０ｍｍ以下である。
【００１３】
好適な実施例において、フィルムは、透明フィルム、軟質フィルム、又は透明軟質フィルムである。
【００１４】
上記をまとめるに、本考案の油吸収紙ボックスにおいて、油吸収紙を通過させるため、ボックス本体の側板には開口部が形成され、開口部を覆うフィルムにはスリットが形成され、開口部の長さとスリットの長さはそれぞれ油吸収紙の幅より大きい。未使用の油吸収紙がボックス本体の収容空間中に収容され、使用者が抜き出し方式で一回につき一枚の油吸収紙を取り出すことにより、使用者が油吸収紙を取り出す際の便利性を提供し、且つ未使用の油吸収紙を汚さずに済ませることができる。なお、油吸収紙はロール状ではなく、折り畳む方式でボックス本体の収容空間に収容されるため、使用者に平らな油吸収紙を提供することができる。
【考案の効果】
【００１５】
本考案の油吸収紙ボックスは、油吸収紙を収容し且つ抜き出すために用いられ、開口部の長さとスリットの長さはそれぞれ油吸収紙の幅より大きく、使用者が油吸収紙を取り出す際の便利性を提供し、且つ未使用の油吸収紙を汚さずに済ませることができる。なお、油吸収紙はロール状ではなく、折り畳む方式でボックス本体の収容空間に収容されるため、使用者に平らな油吸収紙を提供することができる。
【図面の簡単な説明】
【００１６】
【図１】本考案の一つの実施例の油吸収紙ボックスの外観概略図である。
【図２】本考案の一つの実施例のもう一つの実施様態での油吸収紙ボックスの外観概略図である。
【図３】図１の油吸収紙ボックス及び油吸収紙の応用概略図である。
【図４】本考案のもう一つの実施例の油吸収紙ボックスの外観概略図である。
【考案を実施するための形態】
【００１７】
以下にて関連する図面を参照し、同じ構成要素には同じ符号を付して、本考案の油吸収紙ボックスの好ましい実施例を説明する。
【実施例１】
【００１８】
図１は本考案の一つの実施例の油吸収紙ボックス１０の外観概略図である。図１に示すように、油吸収紙ボックス１０は、ボックス本体１２と、フィルム１４とを備えている。
【００１９】
ボックス本体１２は、複数の側板１２１及び収容空間を有し、それら複数の側板１２１の間に収容空間が形成され、ボックス本体１２の少なくとも一枚の側板１２１に開口部１２２が形成される。本実施例において、ボックス本体１２は六面体構造で、言い換えれば、ボックス本体１２は六つの側板１２１を有し、六つの側板１２１が互いに接続されることで、長方体の収容空間が形成される。また、図１に示すように、開口部１２２はボックス本体１２の上側板１２１に形成され、概ね上側板１２１の中央部分に位置し、側板１２１の長軸方向に沿って設置される。本実施例の開口部１２２の形状は長楕円形に近似し、その長軸がボックス本体１２の長軸方向に沿って設置される。
【００２０】
留意すべきは、上記実施例は単に例示に過ぎず、本考案の範囲を限定するものではなく、本技術を熟知する者なら、本考案の範囲内で上記構造に対しいかなる調整をも行うことができる。例えば、ボックス本体は五つの側板のみを有することができ、即ち、上記実施例のボックス本体１２に比べて下側板１２１がないことにより、底板なしのボックス構造になり、使用者は底板なしの部分から油吸収紙を収容空間に補充することができる。また、開口部の形状は他の形状として、例えば四つの角が直角又は丸め角である長方形とすることができる。それだけではなく、開口部は他の位置に設置されてもよいし、例えば上側板１２１の側辺部分、又は前側板或いは後側板の上側部分或いは下側部分など、本考案はこれらに限定されない。
【００２１】
図１に示すように、開口部１２２を覆うフィルム１４には、油吸収紙が通過するためのスリット１４１が形成され、開口部１２２の長さＤ１はスリット１４１の長さＤ２以上である。本実施例において、開口部１２２を覆うように、フィルム１４はボックス本体１２の内側に設けられるが、当然、他の実施例において、フィルム１４は開口部１２２を覆うように、例えばボックス本体１２の外側などの他の位置に設けられてもよい。なお、スリット１４１は開口部１２２の長軸に沿って設けられ、即ち、ボックス本体１２の長軸に沿って設けられ、且つ、開口部１２２の長さＤ１はスリット１４１の長さＤ２以上であり、開口部１２２の長さＤ１とスリット１４１の長さＤ２との差値は０ｍｍ以上で１０ｍｍ以下である（１０ｍｍ≧Ｄ１−Ｄ２≧０ｍｍ）。例えば、図１に示すように、開口部１２２の長さＤ１はスリット１４１の長さＤ２よりちょっと大きく、且つ開口部１２２の長さＤ１とスリット１４１の長さＤ２との差値は１０ｍｍ以下である（１０ｍｍ≧Ｄ１−Ｄ２≧０ｍｍ）。注意すべきは、上記差値の範囲は単に例示に過ぎず、本考案を限定するものではなく、本考案はここで限定されない。
【００２２】
図２に示すように、本実施例のもう一つの実施様態において、開口部１２２の長さＤ１がスリット１４１の長さＤ２と等しいため（Ｄ１−Ｄ２＝０ｍｍ）、スリット１４１の両端は開口部１２２の両側に切り揃える。実務上、油吸収紙ボックス１０の生産プロセスにおいて、ボックス本体１２とフィルム１４は別々で製造され、そして、ボックス本体１２の側板１２１上に開口部１２２が形成される並びにフィルム１４上にスリット１４１が形成され、最後に、フィルム１４は開口部１２２を覆う。ここで、フィルム１４にあるスリット１４１の長さは開口部１２２の長さよりも大きいとすることが可能であるため、精確な位置合わせをする必要がなく、フィルム１４は開口部１２２を覆うことができ、且つ開口部１２２に露出されたスリット１４１の長さＤ２と開口部１２２の長さＤ１とを等しくさせる。
【００２３】
また、本実施例において、フィルム１４の材質はいかなる適した材質にもすることができるため、フィルム１４は例えば透明フィルム、軟質フィルム、又は透明軟質フィルムなどであるが、本考案はそれらに限定されない。
【００２４】
図３を参照されたい。図３は図１の油吸収紙ボックス１０及び油吸収紙２０の応用概略図である。
【００２５】
図３に示すように、本考案の油吸収紙ボックス１０は油吸収紙２０の収容及び抜き出しに用いられる。まず、複数枚の油吸収紙２０を交錯させて折り畳む方式（ｉｎｔｅｒｆｏｌｄ）で互いに積み重ねて、交錯させて折り畳まれた複数枚の油吸収紙２０を上記収容空間中に収容する。本実施例において、油吸収紙２０は交錯させて折り畳む方式で互いに積み重ねられたため、各油吸収紙２０は一つ二つの折り目のみを有し、使用者が一枚の油吸収紙２０を抜き出して使用する場合には、油吸収紙２０を簡単に平らにして、皿などの食器上に平らに置いて、食べ物の盛り付けを便利にすることができる。
【００２６】
注意すべきは、本考案の油吸収紙ボックス１０の構造と従来のティッシュボックスとの主な相違点は、開口部１２２の長さＤ１とスリット１４１の長さＤ２はそれぞれ油吸収紙２０の幅Ｄ３より大きいところである。例えば、開口部１２２の長さＤ１は油吸収紙２０の幅Ｄ３よりちょっと大きく、開口部１２２の長さＤ１と油吸収紙２０の幅Ｄ３との差値は０．１ｍｍ以上で２０ｍｍ以下であり（２０ｍｍ≧Ｄ１−Ｄ３≧０．１ｍｍ）、且つ、スリット１４１の長さＤ２は油吸収紙２０の幅Ｄ３よりちょっと大きく、スリット１４１の長さＤ２と油吸収紙２０の幅Ｄ３との差値は０．１ｍｍ以上で２０ｍｍ以下である（２０ｍｍ≧Ｄ２−Ｄ３≧０．１ｍｍ）。注意すべきは、上記差値の範囲は単に例示に過ぎず、本考案を限定するものではなく、本考案はここで限定されない。
【００２７】
従来のティッシュボックスの使用においては、複数枚のティッシュを交錯させて折り畳む方式で互いに積み重ねられたため、一枚のティッシュが抜き出された際に、次のティッシュの前端は前のティッシュの後端により引っ張り出される。使用者の次の抜き出しを便利にするように、通常、スリットの長さ（さらに開口部の長ささえも）をティッシュの幅より小さく又ははるかに小さくとすることで、次のティッシュをティッシュボックスの外へ突出させる。図１及び図３を同時に参照されたい。本考案の油吸収紙ボックスは従来のティッシュボックスと違って、本考案の油吸収紙ボックス１０において、開口部１２２の長さＤ１とスリット１４１の長さＤ２はそれぞれ油吸収紙２０の幅Ｄ３より大きいため、使用者が一枚の油吸収紙２０を抜き出して使用する場合、次の油吸収紙２０の前端は前に抜き出された油吸収紙２０の後端により引っ張り出され、次の油吸収紙２０を油吸収紙ボックス１０の外へ突出させる。なお、油吸収紙２０の材質は一般のティッシュより厚く且つ硬いため、開口部１２２の長さＤ１とスリット１４１の長さＤ２が油吸収紙２０の幅Ｄ３より小さい場合、開口部１２２とスリット１４１を通過し抜き出された油吸収紙２０の両側は、開口部１２２とスリット１４１の両端により絞られることで、油吸収紙２０の両側にシワが生成され、油吸収紙２０の平滑性に影響を及ぼす。よって、本考案における開口部１２２の長さＤ１とスリット１４１の長さＤ２はそれぞれ油吸収紙２０の幅Ｄ３より大きい、というデザインにより、油吸収紙２０が開口部１２２とスリット１４１を通過し抜き出された場合、油吸収紙２０の両側は開口部１２２とスリット１４１の両端により絞られることがなく、油吸収紙２０の平滑性を維持することができる。
【実施例２】
【００２８】
図４を参照されたい。図４は本考案のもう一つの実施例の油吸収紙ボックス１０ａの外観概略図である。本実施例の油吸収紙ボックス１０ａの構造及び接続関係は、前述した実施例の油吸収紙ボックス１０と概ね同じである。主な相違点は、本実施例の油吸収紙ボックス１０ａには、開口部１２２上に設置される遮蔽部１６を更に含むところにある。本実施例において、油吸収紙ボックス１０ａは例えばペーパーボックス構造であり、ボックス本体１２と遮蔽部１６は一体的に形成可能で、且つボックス本体１２と遮蔽部１６との間にはプリカットラインが形成される。よって、ボックス本体１２と遮蔽部１６とを備える構造は、油吸収紙ボックス１０ａの収容空間をほぼ密閉することができるから、収容空間に収容される油吸収紙２０は外界からの埃又は湿気に汚染されず、油吸収紙ボックス１０ａ及びそれに収容された油吸収紙２０の保存時間を延長することができる。実用上において、使用者が新しく未開封の油吸収紙ボックス１０ａを取得する際に、まず遮蔽部１６を取り外し、開口部１２２及びスリット１４１を露出させて、油吸収紙２０を便利に抜き出すことができる。
【００２９】
注意すべきは、遮蔽部１６は他の適したデザインとすることができる。例えば、遮蔽部１６はカバー構造（図示せず）として、開口部１２２を重複カバー可能で、油吸収紙２０に対する保護機能の向上をさらに提供することができる。また、油吸収紙ボックスは他の適した材質で構成されてもよいし、例えばプラスチック、木質、竹質、金属などとしてもよいが、本考案はそれらに限定されない。
【００３０】
以上をまとめるに、本考案の油吸収紙ボックスにおいて、油吸収紙を通過させるため、ボックス本体の側板には開口部が形成され、開口部を覆うフィルムにはスリットが形成され、開口部の長さとスリットの長さはそれぞれ油吸収紙の幅より大きい。未使用の油吸収紙がボックス本体の収容空間中に収容され、使用者が抜き出し方式で一回につき一枚の油吸収紙を取り出すことにより、使用者が油吸収紙を取り出す際の便利性を提供し、且つ未使用の油吸収紙を汚さずに済ませることができる。なお、油吸収紙はロール状ではなく、折り畳む方式でボックス本体の収容空間に収容されるため、使用者に平らな油吸収紙を提供することができる。
【００３１】
上記は単に例示に過ぎず、本考案を限定するものではない。本考案の技術思想及び範囲を超えることなく、これに対して行う等価の修正又は変更のいずれも、別紙の実用新案登録請求の範囲に含まれるものである。
【産業上の利用可能性】
【００３２】
油吸収紙を収容し且つ抜き出すために用いられ、使用者が油吸収紙を便利に取り出すような油吸収紙ボックスを提供可能である。
【符号の説明】
【００３３】
１０、１０ａ       油吸収紙ボックス
１２               ボックス本体
１２１             側板
１２２             開口部
１４               フィルム
１４１             スリット
１６               遮蔽部
２０               油吸収紙
Ｄ１、Ｄ２         長さ
Ｄ３               幅
【図１】
0003231136.tif 000003
【図２】
0003231136.tif 000004
【図３】
0003231136.tif 000005
【図４】
0003231136.tif 000006